(57)【要約】【課題】  建物基礎の外側面に断熱材などの防蟻性板部材を固定する場合に防蟻シートの使用量を減らしつつ、確実にシロアリの侵入を防ぐことができる建物の防蟻構造及び建物の防蟻工法を提供する。【解決手段】  建物基礎の外周立上がり部の屋外側面に防蟻性板部材を取付けた建物における建物の防蟻構造であって、前記外周立上がり部の上端面と、前記防蟻性板部材の上端面と、を防蟻性シートで被覆したことを特徴とする建物の防蟻構造。【選択図】図２
2010084357.tif 000002
【特許請求の範囲】
【請求項１】
建物基礎の外周立上がり部の屋外側面に防蟻性板部材を取付けた建物の防蟻構造であって、
前記防蟻性板部材の上端面と、前記外周立上がり部の上端面と、にまたがって防蟻性シートで被覆することを特徴とする建物の防蟻構造。
【請求項２】
前記外周立上がり部及び前記防蟻性板部材を貫通する配管の屋内側に突出する外周面を被覆する筒部と、該筒部の端部から広がって形成されて前記外周立上がり部の屋内側面を被覆する鍔部とを有する配管用防蟻シートをさらに備えることを特徴とする請求項１に記載の建物の防蟻構造。
【請求項３】
建物基礎の外周立上がり部と、該外周立上がり部の屋外側に隣接して設けられる付帯設備との間に防蟻性板部材を設置する建物の防蟻構造であって、
少なくとも前記付帯設備の上面と前記防蟻性板部材の上面とにまたがって、防蟻性シートで被覆することを特徴とする建物の防蟻構造。
【請求項４】
建物基礎の外周立上がり部と、該外周立上がり部の屋外側に隣接して設けられる付帯設備との間に防蟻性板部材を設置する建物の防蟻構造であって、
少なくとも前記付帯設備の上面と前記防蟻性板部材の前記付帯設備の上面より上方側における屋外側面とにまたがって、防蟻性シートで被覆することを特徴とする建物の防蟻構造。
【請求項５】
前記付帯設備の上面から前記防蟻性板部材の上端面を通って前記外周立上がり部の上端面までを、防蟻性シートで被覆することを特徴とする請求項３に記載の建物の防蟻構造。
【請求項６】
前記防蟻性シートは、少なくとも前記外周立上がり部側の端部が下方に折曲されてその下端で水平方向に突出する垂下部を形成するものであって、
当該垂下部は、前記外周立上がり部に埋め込まれることを特徴とする請求項１、請求項２、請求項４、又は請求項５に記載の建物の防蟻構造。
【請求項７】
前記防蟻性シートは、少なくとも前記付帯設備側の端部が下方に折曲されてその下端で水平方向に突出する垂下部を形成するものであって、
当該垂下部は、前記付帯設備に埋め込まれることを特徴とする請求項３から請求項５のいずれかに記載の建物の防蟻構造。
【請求項８】
前記垂下部は、更に上方に折り返されるとともに、その先端が水平方向に折曲されることを特徴とする請求項６又は請求項７に記載の建物の防蟻構造。
【請求項９】
前記防蟻性板部材は、断熱性を有することを特徴とする請求項１から請求項８に記載の防蟻構造。
【請求項１０】
前記防蟻シートが、シロアリの分泌物に対する耐性を有する材料で形成され、且つシロアリが通過できない大きさの孔を有するメッシュ状であることを特徴とする請求項１から請求項９のいずれかに記載の建物の防蟻構造。
【請求項１１】
地表を整地して所定深度まで掘り下げた後、建物基礎の外周となる部分に外周立上がり部用の型枠を屋内側と屋外側とに平行に配設し、該外周立上がり部用の型枠のうち屋外側の型枠の内側面に防蟻性板部材を設置して、その後、該防蟻性板部材と屋内側の前記外周立上がり部用の型枠との間にコンクリートを打設養生して基礎の外周立上がり部を形成するとともに、前記防蟻性板部材を当該外周立上がり部に固定し、次いで、前記型枠を取り外して、その後に、前記防蟻性板部材の上端面と、前記外周立上がり部の上端面と、にまたがって、防蟻性シートを被覆し固定することを特徴とする建物の基礎防蟻工法。
【請求項１２】
地表を整地して所定深度まで掘り下げた後、建物基礎の外周となる部分に外周立上がり部用の型枠を屋内側と屋外側とに平行に配設し、該外周立上がり部用の型枠のうち屋外側の型枠の内側面に防蟻性板部材を設置して、その後、前記該防蟻性板部材と屋内側の前記外周立上がり部用の型枠との間にコンクリートを打設養生して基礎の外周立上がり部を形成するとともに、前記防蟻性板部材を当該外周立上がり部に固定し、次いで、前記型枠を取り外してから、
前記防蟻性板材の屋外側に必要な間隔距離を開けて付帯設備用の型枠を設置し、その後この型枠と防蟻性板部材との間にコンクリートを打設養生して付帯設備を形成し、
前記付帯設備の上面と前記防蟻性板部材の上端面とにまたがって、防蟻性シートを被覆し固定することを特徴とする建物の基礎防蟻工法。
【請求項１３】
地表を整地して所定深度まで掘り下げた後、建物基礎の外周となる部分に外周立上がり部用の型枠を屋内側と屋外側とに平行に配設し、該外周立上がり部用の型枠のうち屋外側の型枠の内側面に防蟻性板部材を設置して、その後、前記型枠の間にコンクリートを打設養生して基礎の外周立上がり部を形成するとともに、前記防蟻性板部材を当該外周立上がり部に固定し、その後、前記型枠を取り外してから、
前記防蟻性板材の屋外側に必要な間隔距離を開けて付帯設備用の型枠を設置し、その後この型枠と防蟻性板部材との間にコンクリートを打設養生して付帯設備を形成し、
前記付帯設備の上面から、前記防蟻性板部材の上端面を通って、及び前記外周立上がり部の上端面までを、防蟻性シートで被覆し固定することを特徴とする建物の基礎防蟻工法。
【請求項１４】
地表を整地して所定深度まで掘り下げた後、建物基礎の外周となる部分に外周立上がり部用の型枠を屋内側と屋外側とに平行に配設し、該外周立上がり部用の型枠のうち屋外側の型枠の内側面に防蟻性板部材を設置して、その後、防蟻性シートの一端を該防蟻性板部材の上端面に固定しつつ他端を該防蟻性板部材と屋内側の外周立上がり部用の型枠との間に折曲して垂下部を形成し、次で、前記防蟻性板部材と前記屋内側の外周立上がり部用の型枠との間にコンクリートを打設養生してから前記型枠を取り外すことによって、基礎の外周立上がり部を形成するとともに、前記防蟻性シートの前記垂下部を前記外周立上がり部内に埋め込み、前記防蟻性板部材を当該外周立上がり部に固定することを特徴とする建物の基礎防蟻工法。
【請求項１５】
地表を整地して所定深度まで掘り下げた後、建物基礎の外周となる部分に外周立上がり部用の型枠を屋内側と屋外側とに平行に配設し、該外周立上がり部用の型枠のうち屋外側の型枠の内側面に防蟻性板部材を設置して、
その後、防蟻性シートの中間部を前記防蟻性板部材の上端に仮固定して、当該防蟻性シートの一端を前記防蟻性板部材と屋内側の前記外周立上がり部用の型枠との間に折曲して立上がり部側の垂下部を形成し、次いで、前記防蟻性板部材と屋内側の前記外周立上がり部用の型枠との間にコンクリートを打設養生して基礎の外周立上がり部を形成することにより、前記防蟻性シートの一端側に形成された前記立上がり部側垂下部を前記コンクリート内に埋め込むとともに、前記防蟻性板部材を当該外周立上がり部に固定し、
次いで、前記防蟻性板部材の屋外側に必要な間隔距離を開けて付帯設備用の型枠を設置するとともに、前記防蟻性シートの他端を前記防蟻性板部材と前記付帯設備用型枠との間に折曲して付帯設備側垂下部を形成し、次いで、前記防蟻性板部材と前記付帯設備用型枠との間にコンクリートを打設養生して付帯設備を形成することにより、前記付帯設備側垂下部を前記付帯設備内に埋め込むことを特徴とする建物の基礎防蟻工法。
【請求項１６】
前記防蟻性板部材は、断熱性を有することを特徴とする請求項１１から請求項１５に記載の建物の基礎防蟻工法。
【請求項１７】
前記防蟻シートが、シロアリの分泌物に対する耐性を有する材料で形成され、且つシロアリが通過できない大きさの孔を有するメッシュ状であることを特徴とする請求項１１から請求項１６のいずれかに記載の建物の基礎防蟻工法。
【発明の詳細な説明】
【技術分野】
【０００１】
本発明は、布基礎やベタ基礎などの基礎の外周立上がり部の屋外側からのシロアリの侵入を防ぐ建物の防蟻構造及び基礎防蟻工法に関し、詳しくは建物基礎の外周立上がり部と、この外周立上がり部の外側面に設けられる防蟻板部材との間からのシロアリの侵入を防ぐ建物の防蟻構造及び建物の基礎防蟻工法に関する。
【背景技術】
【０００２】
従来の建物におけるシロアリ防除技術としては、例えば、建物の床下の地面から１メートル程度の範囲の木材や建物の下の土壌に、シロアリを駆除できる薬剤を処理する方法やシロアリに少量の薬剤を含む毒餌を摂食させて根絶するベイト工法などの方法が知られている。しかし、上述の建物の床下に薬剤を処理する方法においては、建物内の環境が化学物質に汚染される点で問題がある。また、ベイト工法においては、コロニー全体の活力を衰退させることにあり、その開始から終了までに少なくとも数ヶ月から２年程度の長期間を要するという問題がある。
【０００３】
そこで、上述の問題を解消するために、薬剤を使用せずにシロアリの侵入を物理的に阻止する工法が種々提案されている。このような工法としては、例えば、シロアリの分泌物に耐性を有し、且つ少なくともショアＤ７０高度以上の耐腐食性材料で編まれた網み目シートからなり、この編み目の孔がいずれの方向においても侵入を阻止すべきシロアリの頭部横断面の最大寸法より小径である防蟻シートを、建物基礎に取付けて建物内にシロアリが侵入することを防ぐ防蟻方法が挙げられる（例えば特許文献１）。
【０００４】
ところで、建物の布基礎やベタ基礎などの基礎の外周立上がり部の屋外側には、外装材や断熱材などの種々の板部材が固定されることが多い。そして板部材の内部にシロアリが侵入することを防ぐことができるように、これら板部材には防蟻性を有するものも種々提案されている。具体的には例えば、断熱材の原料に防蟻剤を加えて発泡及び硬化させて形成する防蟻断熱材（特許文献２参照）やシロアリに食侵されない硬度及び密度のポリカーボネート系樹脂発泡体からなる防蟻材（特許文献３参照）が提案されている。
【特許文献１】特許第２６５２９０２号公報
【特許文献２】特開２００６−１８３２６７号公報
【特許文献３】特開平１１−２３６７３６号公報
【発明の開示】
【発明が解決しようとする課題】
【０００５】
しかし、上述のような防蟻板部材を建物の布基礎やベタ基礎などの基礎の外周立上がり部の屋外側に取付けた場合には、防蟻板部材自体はシロアリに食侵されないものの、防蟻板部材と基礎の外周立上がり部との間隙を通ってシロアリが建物内部に侵入する虞がある。
【０００６】
そこで、本発明は、建物基礎の外側面に外装材や断熱材などの防蟻性板部材を固定する場合に確実にシロアリの侵入を防ぐことができる建物の防蟻構造及び建物の防蟻工法を提供することを目的とする。
【課題を解決するための手段】
【０００７】
上記の目的を達成するために、請求項１に記載の建物の防蟻構造は、建物基礎の外周立上がり部の屋外側面に防蟻性板部材を取付けた建物の防蟻構造であって、前記防蟻性板部材の上端面と、前記外周立上がり部の上端面と、にまたがって防蟻性シートで被覆することを特徴としている。
【０００８】
請求項２に記載の建物の防蟻構造は、前記外周立上がり部及び前記防蟻性板部材を貫通する配管の屋内側に突出する外周面を被覆する筒部と、該筒部の端部から広がって形成されて、前記外周立上がり部の屋内側面を被覆する鍔部とを有する配管用防蟻シートをさらに備えることを特徴としている。
【０００９】
請求項３に記載の建物の防蟻構造は、建物基礎の外周立上がり部と、該外周立上がり部の屋外側に隣接して設けられる付帯設備との間に防蟻性板部材を設置する建物の防蟻構造であって、少なくとも前記付帯設備の上面と前記防蟻性板部材の上面とにまたがって、防蟻性シートで被覆することを特徴としている。
【００１０】
請求項４に記載の建物の防蟻構造は、建物基礎の外周立上がり部と、該外周立上がり部の屋外側に隣接して設けられる付帯設備との間に防蟻性板部材を設置する建物の防蟻構造であって、少なくとも前記付帯設備の上面と前記防蟻性板部材の前記付帯設備の上面より上方側における屋外側面とにまたがって、防蟻性シートで被覆することを特徴としている。
【００１１】
請求項５に記載の建物の防蟻構造は、前記付帯設備の上面から前記防蟻性板部材の上端面を通って前記外周立上がり部の上端面までを、防蟻性シートで被覆することを特徴としている。
【００１２】
請求項６に記載の建物の防蟻構造は、前記防蟻性シートは、少なくとも前記外周立上がり部側の端部が下方に折曲されてその下端で水平方向に突出する垂下部を形成するものであって、当該垂下部は、前記外周立上がり部に埋め込まれることを特徴としている。
【００１３】
請求項７に記載の建物の防蟻構造は、前記防蟻性シートは、少なくとも前記付帯設備側の端部が下方に折曲されてその下端で水平方向に突出する垂下部を形成するものであって、当該垂下部は、前記付帯設備に埋め込まれることを特徴としている。
【００１４】
請求項８に記載の建物の防蟻構造は、前記垂下部は、更に上方に折り返されるとともに、その先端が水平方向に折曲されることを特徴としている。
【００１５】
請求項９に記載の建物の防蟻構造は、前記防蟻性板部材は、断熱性を有することを特徴としている。
【００１６】
請求項１０に記載の建物の防蟻構造は、前記防蟻シートが、シロアリの分泌物に対する耐性を有する材料で形成され、且つシロアリが通過できない大きさの孔を有するメッシュ状であることを特徴としている。
【００１７】
請求項１１に記載の建物の基礎防蟻工法は、地表を整地して所定深度まで掘り下げた後、建物基礎の外周となる部分に外周立上がり部用の型枠を屋内側と屋外側とに平行に配設し、該外周立上がり部用の型枠のうち屋外側の型枠の内側面に防蟻性板部材を設置して、その後、該防蟻性板部材と屋内側の前記外周立上がり部用の型枠との間にコンクリートを打設養生して基礎の外周立上がり部を形成するとともに、前記防蟻性板部材を当該外周立上がり部に固定し、次いで、前記型枠を取り外して、その後に、前記防蟻性板部材の上端面と、前記外周立上がり部の上端面と、にまたがって、防蟻性シートを被覆し固定することを特徴としている。
【００１８】
地表を整地して所定深度まで掘り下げた後、建物基礎の外周となる部分に外周立上がり部用の型枠を屋内側と屋外側とに平行に配設し、該外周立上がり部用の型枠のうち屋外側の型枠の内側面に防蟻性板部材を設置して、その後、前記該防蟻性板部材と屋内側の前記外周立上がり部用の型枠との間にコンクリートを打設養生して基礎の外周立上がり部を形成するとともに、前記防蟻性板部材を当該外周立上がり部に固定し、次いで、前記型枠を取り外してから、前記防蟻性板材の屋外側に必要な間隔距離を開けて付帯設備用の型枠を設置し、その後この型枠と防蟻性板部材との間にコンクリートを打設養生して付帯設備を形成し、前記付帯設備の上面と前記防蟻性板部材の上端面とにまたがって、防蟻性シートを被覆し固定することを特徴としている。
【００１９】
請求項１３に記載の建物の基礎防蟻工法は、地表を整地して所定深度まで掘り下げた後、建物基礎の外周となる部分に外周立上がり部用の型枠を屋内側と屋外側とに平行に配設し、該外周立上がり部用の型枠のうち屋外側の型枠の内側面に防蟻性板部材を設置して、その後、前記型枠の間にコンクリートを打設養生して基礎の外周立上がり部を形成するとともに、前記防蟻性板部材を当該外周立上がり部に固定し、その後、前記型枠を取り外してから、前記防蟻性板材の屋外側に必要な間隔距離を開けて付帯設備用の型枠を設置し、その後この型枠と防蟻性板部材との間にコンクリートを打設養生して付帯設備を形成し、前記付帯設備の上面から、前記防蟻性板部材の上端面を通って、及び前記外周立上がり部の上端面までを、防蟻性シートで被覆し固定することを特徴としている。
【００２０】
請求項１４に記載の建物の基礎防蟻工法は、地表を整地して所定深度まで掘り下げた後、建物基礎の外周となる部分に外周立上がり部用の型枠を屋内側と屋外側とに平行に配設し、該外周立上がり部用の型枠のうち屋外側の型枠の内側面に防蟻性板部材を設置して、その後、防蟻性シートの一端を該防蟻性板部材の上端面に固定しつつ他端を該防蟻性板部材と屋内側の外周立上がり部用の型枠との間に折曲して垂下部を形成し、次で、前記防蟻性板部材と前記屋内側の外周立上がり部用の型枠との間にコンクリートを打設養生してから前記型枠を取り外すことによって、基礎の外周立上がり部を形成するとともに、前記防蟻性シートの前記垂下部を前記外周立上がり部内に埋め込み、前記防蟻性板部材を当該外周立上がり部に固定することを特徴としている。
【００２１】
請求項１５に記載の建物の基礎防蟻工法は、地表を整地して所定深度まで掘り下げた後、建物基礎の外周となる部分に外周立上がり部用の型枠を屋内側と屋外側とに平行に配設し、該外周立上がり部用の型枠のうち屋外側の型枠の内側面に防蟻性板部材を設置して、その後、防蟻性シートの中間部を前記防蟻性板部材の上端に仮固定して、当該防蟻性シートの一端を前記防蟻性板部材と屋内側の前記外周立上がり部用の型枠との間に折曲して立上がり部側の垂下部を形成し、次いで、前記防蟻性板部材と屋内側の前記外周立上がり部用の型枠との間にコンクリートを打設養生して基礎の外周立上がり部を形成することにより、前記防蟻性シートの一端側に形成された前記立上がり部側垂下部を前記コンクリート内に埋め込むとともに、前記防蟻性板部材を当該外周立上がり部に固定し、次いで、前記防蟻性板部材の屋外側に必要な間隔距離を開けて付帯設備用の型枠を設置するとともに、前記防蟻性シートの他端を前記防蟻性板部材と前記付帯設備用型枠との間に折曲して付帯設備側垂下部を形成し、次いで、前記防蟻性板部材と前記付帯設備用型枠との間にコンクリートを打設養生して付帯設備を形成することにより、前記付帯設備側垂下部を前記付帯設備内に埋め込むことを特徴としている。
【００２２】
請求項１６に記載の建物の基礎防蟻工法は、前記防蟻性板部材は、断熱性を有することを特徴としている。
【００２３】
請求項１７に記載の建物の基礎防蟻工法は、前記防蟻シートが、シロアリの分泌物に対する耐性を有する材料で形成され、且つシロアリが通過できない大きさの孔を有するメッシュ状であることを特徴としている。
【発明の効果】
【００２４】
請求項１の発明によれば、建物の防蟻構造は、建物の基礎の外周立上がり部の屋外側に取付けられる板部材が防蟻性のものであるので、シロアリがこの防蟻性板部材を侵食することはできない。したがって、基礎の外周立上がり部と防蟻性板部材との上端面にまたがって防蟻シートを被覆することで、外周立上がり部と防蟻性板部材との間隙から侵入するシロアリの通過を防ぐことができるので、確実に建物基礎を防蟻できるとともに防蟻シートの使用量を少なくすることができる。
【００２５】
請求項２の発明によれば、建物の防蟻構造は、基礎の立上がり部及び防蟻性板部材に貫通する配管の外周面に筒部が被覆するとともに、外周立上がり部の屋内側の面に鍔部が被覆するので、立上がり部の貫通孔と配管の外周面との間隙から建物内にシロアリが侵入することを防ぐことができる。
【００２６】
請求項３の発明によれは、建物の防蟻構造は、建物の基礎に隣接して設けられる付帯設備の上面と防蟻性板部材の上面とにまたがって防蟻シートで被覆したので、この付帯設備と防蟻性板部材との間を通ってシロアリが建物内に侵入することを防ぐことができる。
【００２７】
請求項４の発明によれは、建物の防蟻構造は、建物の基礎に隣接して設けられる付帯設備の上面と防蟻性板部材の屋外側面とにまたがって防蟻シートで被覆したので、この付帯設備と防蟻性板部材との間を通ってシロアリが建物内に侵入することを防ぐことができる。
【００２８】
請求項５の発明によれば、建物の防蟻構造は、建物の基礎の外周立上がり部の上面と、この外周立上がり部に隣接して設けられる付帯設備の上面と、これら外周立上がり部及び付帯設備の間に収納される防蟻性板部材と、にまたがって、防蟻シートが被覆されているので、外周立上がり部と防蟻性板部材との間隙、及び付帯設備と防蟻性板部材との間隙のどちらの間隙を通ってシロアリが建物内部に侵入することも防ぐことができる。
【００２９】
請求項６の発明によれば、防蟻シートは、外周立上がり部側の端部が少なくとも下方に折曲された垂下部を形成しており、この垂下部は、外周立上がり部に埋め込まれるので、垂下部のアンカー効果により防蟻シートをより確実に外周立上がり部の端部に固定することができ、シロアリの侵入をより確実に防ぐことができる。
【００３０】
請求項７の発明によれば、防蟻シートは、付帯設備側の端部が少なくとも下方に折曲された垂下部を形成するものであって、この垂下部は、付帯設備に埋め込まれるので、請求項５の垂下部と同様にアンカー効果により防蟻シートをより確実に付帯設備に固定することができ、シロアリの侵入をより確実に防ぐことができる。
【００３１】
請求項８の発明によれば、下方に折曲された垂下部は上方に折り返され、更に水平方向に折曲されるので、垂下部のアンカー効果をより高めることができ、防蟻シートをより確実に外周立上がり部又は付帯設備に固定することができる。さらに、垂下部を上述のような形状とすることで、コンクリートを打設して外周立上がり部又は付帯設備を形成する際に、垂下部の上方に折り返された部分が上方から注入されたコンクリートの重みによりよりやや展開したような場合でも、更に水平方向に折曲されていることで、アンカー効果を失わず確実に固定することができる。
【００３２】
請求項９の発明によれば、防蟻性板部材は、断熱性を有するものであるので、外断熱工法に適用することができる。
【００３３】
請求項１０の発明によれば、防蟻シートが、シロアリの分泌物に対する耐性を有する材料で形成され、且つシロアリが通過できない大きさの孔を有するメッシュ状であるので、例えば接着モルタル等により接着する場合にアンカー効果によってより強固に固定することができ、また、コンクリートに埋設する場合にもアンカー効果によってより強固に固定することができる。
【００３４】
請求項１１の発明の建物の基礎防蟻工法によると、外周立上がり部用の型枠を屋内側と屋外側とに平行に配設し、外周立上がり部用の型枠のうち屋外側の型枠の内側面に防蟻性板部材を設置して、その後、当該防蟻性板部材と前記外周立上がり部用型枠のうち、屋内側の型枠との間にコンクリートを打設養生することで、基礎の外周立上がり部を形成するとともに、前記防蟻性板部材を当該外周立上がり部に固定するので、防蟻性板部材の表面の細かな凹凸にまでコンクリートが入り込むことで、防蟻性板部材と外周立上がり部との間にシロアリが通過可能な間隙ができにくい。そして、型枠を取り外して、外周立上がり部の上端面と、防蟻性板部材の上端面とに亘って、シロアリの通過を防ぐ防蟻シートを被覆するので、更に確実にシロアリが建物内に侵入することを防ぐことができる。
【００３５】
請求項１２の発明の建物の基礎防蟻工法によると、外周立上がり部用の型枠を屋内側と屋外側とに平行に配設し、該外周立上がり部用の型枠のうち屋外側の型枠の内側面に防蟻性板部材を設置して、その後、前記型枠の間にコンクリートを打設養生して基礎の外周立上がり部を形成するとともに、前記防蟻性板部材を当該外周立上がり部に固定するので、請求項１１と同様に、防蟻性板部材の表面の細かな凹凸にまでコンクリートが入り込むことで、防蟻性板部材と外周立上がり部との間にシロアリが通過可能な間隙ができにくい。そして、前記外周立上がり部の外側に付帯設備用型枠を設置し、コンクリートを打設養生して付帯設備を形成し、前記付帯設備の上面と前記防蟻性板部材とを、防蟻シートで被覆するので、防蟻性板部材と付帯設備との間隙からシロアリが建物内に侵入することも防ぐことができる。
【００３６】
請求項１３の発明の建物の基礎防蟻工法によると、外周立上がり部用の型枠を屋内側と屋外側とに平行に配設し、該外周立上がり部用の型枠のうち屋外側の型枠の内側面に防蟻性板部材を設置して、その後、前記防蟻性板部材と前記外周立上がり部用の型枠のうち屋内側の型枠との間にコンクリートを打設養生して基礎の外周立上がり部を形成するとともに、前記防蟻性板部材を当該外周立上がり部に固定するので、請求項１１及び請求項１２の防蟻性工法と同様に、防蟻性板部材の表面の細かな凹凸にまでコンクリートが入り込むことで、防蟻性板部材と外周立上がり部との間にシロアリが通過可能な間隙ができにくい。そして、前記防蟻性板部材の外側に必要な間隔距離を開けて付帯設備用型枠を設置し、コンクリートを打設養生して付帯設備を形成し、前記付帯設備の上面と前記防蟻性板部材とを、防蟻シートで被覆するので、防蟻性板部材と付帯設備との間隙からシロアリが建物内に侵入することも防ぐことができる。
【００３７】
請求項１４の発明の建物の基礎防蟻工法によると、外周立上がり部用の型枠を屋内側と屋外側とに平行に配設し、該外周立上がり部用の型枠のうち屋外側の型枠の内側面に防蟻性板部材を設置して、その後、防蟻シートの一端を該防蟻性板部材の上端面に固定しつつ他端を前記型枠の間に折曲して形成し、垂下部を次で、前記防蟻性板部材と屋内側の外周立上がり部用の型枠との間にコンクリートを打設養生して基礎の外周立上がり部を形成するとともに、前記防蟻シートの前記垂下部を前記外周立上がり部内に埋め込み、前記防蟻性板部材を当該外周立上がり部に固定するので、防蟻性板部材の表面の細かな凹凸にまでコンクリートが入り込むことで、防蟻性板部材と外周立上がり部との間にシロアリが通過可能な間隙ができにくいとともに、防蟻シートの垂下部が外周立上がり部に埋め込まれるので、より確実に防蟻シートを外周立上がり部に固定することができ、シロアリの通過をより確実に防ぐことができる。
【００３８】
請求項１５の発明の建物の基礎防蟻工法によると、外周立上がり部用の型枠を屋内側と屋外側とに平行に配設し、該外周立上がり部用の型枠のうち屋外側の型枠の内側面に防蟻性板部材を設置して、その後、防蟻シートの一端を前記防蟻性板部材と屋内側の前記外周立上がり部用の型枠との間に折曲して立上がり部側垂下部を形成し、次いで、前記防蟻性板部材と屋内側の前記外周立上がり部用の型枠との間にコンクリートを打設養生して基礎の外周立上がり部を形成するとともに、前記防蟻シート一端側に形成された前記立上がり部側垂下部を前記コンクリート内に埋め込み、前記防蟻性板部材を当該外周立上がり部に固定しているので、請求項１４と同様に確実に防蟻シートを外周立上がり部を固定することができ、より確実に建物へのシロアリの侵入を防ぐことができる。
【００３９】
請求項１６の発明の建物の基礎防蟻工法によると、防蟻性板部材が断熱性を有しているので、外断熱工法に適用することができる。
【００４０】
請求項１７の発明の建物の基礎防蟻工法によると、防蟻シートが、シロアリの分泌物に対する耐性を有する材料で形成され、且つシロアリが通過できない大きさの孔を有するメッシュ状であるので、例えば接着モルタル等により接着する場合にアンカー効果によってより強固に固定することができ、また、コンクリートに埋設する場合にもアンカー効果によってより強固に固定することができる。
【発明を実施するための最良の形態】
【００４１】
〔第１の実施形態〕
以下、図面を参照しつつ、本発明の建物の防蟻構造１及び基礎防蟻工法の第１の実施形態について説明する。建物の防蟻構造１は、図１及び図２に示すように、例えばベタ基礎２における外周立上がり部３の屋外側面に防蟻性板部材４を取付けた建物において用いられるものである。この外周立上がり部３の上端面と防蟻性板部材４の上端面とにまたがって、シロアリが通過できない防蟻シート１０が取付けられており、外周立上がり部３と防蟻性板部材４との間隙を通過してシロアリが建物内部に侵入することを防ぐことができる。なお、本実施形態においては建物の基礎としてベタ基礎２を用いてた例を説明するが、例えば図３に示すように布基礎５を用いるものであっても良い。
【００４２】
ベタ基礎２は、建物の床下全面的に設けられた基礎スラブ６と、この基礎スラブ６上の外周部分に立設される外周立上がり部３と、基礎スラブ６上に建物の設計上必要に応じて設けられる柱状又は縦横に延びる立上がり部７からなる。そして、この基礎スラブ６の下方には捨てコンクリート８や割栗石９が施工されている。なお、ベタ基礎２の縦断面形状等は特に限定されるものではなく、従来公知の各種の構成を採用できる。また、割栗石９と捨てコンクリート８の間、又は捨てコンクリート８と基礎スラブ２の間には、必要に応じて図示しない防湿シート等を敷設してもよい。
【００４３】
この外周立上がり部３の屋外側面には、防蟻性板部材４が取り付けられる。防蟻性板部材４としては、例えばシロアリに侵食されない強度を有するポリカーボネート発泡体により形成されたものが挙げられる。このような防蟻性板部材４の厚さ、長さ、及び高さは施工性能、断熱性能、防蟻性能の観点から適宜選択できるものであり、例えばその高さは、外周立上がり部３と同じ高さとすることもできるが、本実施形態においては例えば、外周立上がり部３の高さのほぼ半分ほどの高さの防蟻性板部材４を用い、上下に２段重ねて取付けている。
【００４４】
なお、防蟻性板部材４はこれに限定されるものではなく、クロルピリホス系、有機リン系やピレスロイド系などの防蟻剤を含有したグラスウール、ロックウール、などの繊維系断熱材、ポリスチレンフォーム、ポリエチレンフォーム、ポリプロピレンフォーム、ポリウレタンフォーム、フェノール樹脂フォーム、塩化ビニル樹脂フォーム、無機物高充填樹脂フォーム等のシロアリの侵食を防ぐことができ、且つ断熱性能を有する様々な板状部材を防蟻性板部材４として用いることができる。また、防蟻性板部材４は断熱材に限定されるものではなく、例えば硬質機材（例えば、タイル、セラミック板、あるいはセメント板、炭酸カルシウム板、珪酸カルシウム板、木片セメント板、炭酸マグネシウム板等、もしくはこれらにガラス繊維、ウィスカー、アラミド繊維、スチール繊維、炭素繊維、各種鉱物繊維、各種骨材等を混入したもの、等を押出成形、プレス成形、射出成形、抄造法、等によって成形した窯業系サイディング材、または各種繊維をクロス状、三次元状に織り、これにセメント、粘土等を含浸してパネル状に成形したものを乾燥、蒸気養生、焼成、等したもの）、さらには金属製パネル、金属製サイディング材（金属製表面材の裏面に合成樹脂発泡体等の芯材を積層した建材、金属製表面材と裏面材間に合成樹脂発泡体等の芯材をサンドイッチした建材、等）、合成樹脂板、プレキャストコンクリート材等の様々な防蟻性板部材４を用いることができる。
【００４５】
以上のように、防蟻性板部材４が防蟻性を有するとともに断熱性を有する防蟻断熱材で構成されることで、例えば外断熱工法を適用する建物において、建物基礎部分の断熱材として本実施形態の建物の防蟻構造１を用いることができるものであるが、本実施形態の防蟻性板部材４は断熱性を有するものに限定されるものではなく、シロアリに侵食されない強度を有する基礎化粧材等の基礎の外周立上がり部３の外側面に取付けられる様々な防蟻性板部材４を用いることができる。
【００４６】
また、防蟻性板部材４は、単一の材質からなるものに限定されるものではなく、例えば表面に防蟻性能を有する部材を設けた多層からなるものであってもよい。具体的にはポリカーボネート発泡板と、グラスウール、ロックウール、などの繊維系断熱材、ポリスチレンフォーム、ポリエチレンフォーム、ポリプロピレンフォーム、ポリウレタンフォーム、フェノール樹脂フォーム、塩化ビニル樹脂フォーム、無機物高充填樹脂フォームなどの発泡樹脂系断熱材を、接着剤等を用いて接着させた複合防蟻断熱材として用いることもできる。このようにすると高価なポリカーボネート発泡材料の使用量を減らした上で、従来通りの断熱性能を発揮することができる。
【００４７】
また、防蟻性及び断熱性を有する各種の防蟻板部材４に防湿シートなどの防湿材、遮音材、吸音材、防振材、タイル、モルタル等などを複合することもできる。
【００４８】
このような防蟻性板部材４を外周立上がり部３へ取付けるに際しては、外周立上がり部３の外側面と防蟻性板部材４とを例えば接着モルタルなどのシロアリに侵食されない接着剤を介して固定させることができる。防蟻性板部材４の接着方法としてはこれに限られるものではなく、例えばコンクリートを打設して外周立上がり部３を形成する前に、外周立上がり部を形成するために用いる型枠のうち屋外側に配置される型枠の内側面に防蟻性板部材を固定して、その後コンクリートを打設養生することで、防蟻性板部材を外周立上がり部に固定することもできる。
【００４９】
ここで、シロアリとは、ゴキブリに近縁の社会生活をする不完全変態の昆虫であって、シロアリ目（等翅類）Isopteraの総称である。このシロアリは、非変形性の堅い頭部を有している。このようなシロアリとしては、例えば、ヤマトシロアリやイエシロアリ等の各種のものが挙げられる。
【００５０】
また、防蟻シート１０としては、例えば、「アリ断（商品名，フクビ化学工業株式会社製）」等の防蟻剤を練り込んだ合成樹脂シート、「シロアリシャッター（商品名，大日本木材防腐工業株式会社製）」等の防蟻剤を塗布したガラス繊維シート等の防蟻性を有する従来公知の各種のシート材や板材等が挙げられるが、シロアリから放出されるギ酸等の分泌物に耐性で、かつ、シロアリが噛み砕くことができない硬さである少なくとも約ショアＤ７０硬度を有し、使用環境下で数十年の耐用年数を有する耐用性の耐腐食性材料からなるものが好ましい。
【００５１】
上述のような防蟻シート１０としては、例えば、前記耐腐食性材料からなる金属製や合成樹脂製等のシート材や板材等が挙げられるが、図４に示すように、ステンレス鋼ワイヤ１１から製織され、いずれの方向においてもシロアリの頭部横断面の最大直線寸法より小さい直線寸法の多数の網目（孔）１２を有するステンレスメッシュ〔例えば「ターミメッシュ（ＴＥＲＭＩ−ＭＥＳＨ，商品名）」，ターミメッシュジャパン株式会社製〕等、柔軟性に優れ、かつ、切断、折曲による造形、折曲時の輪郭付け等が容易なメッシュシートが好適である。
【００５２】
なお、シロアリバリアー材としてのメッシュシートは、ステンレスメッシュの他、例えば、セラミックス・ガラス・合成樹脂・金属（特にステンレス）等の繊維・フィラメント・ストランド等から製織又は製編等されたワイヤーラス等や不織布、あるいはパンチングメタル、メタルラス等の各種のものを使用できる。要するに、網目１２等の多数の孔を有していればよい。この孔の形状は特に限定されるものではなく、矩形状や円状等の適宜の形状とすることができる。
【００５３】
このように構成される防蟻シート１０は、図１及び図２に示すように、外周立上がり部３の上端と防蟻性板部材４の上端とにまたがって被覆される。この防蟻シート１０を取付けるには、外周立上がり部３の上端及び防蟻性板部材４の上端の形状に合わせて防蟻シート１０を所定の長さにカットする。そして、この防蟻シート１０を防蟻性板部材４の角に合わせて折曲又は成形等した状態で、モルタルに適宜のポリマー等を配合した接着モルタルを塗布することによって外周立上がり部３及び防蟻性板部材４に接着等すればよい。このような接着モルタルによる接着の前には、例えば釘、止めワッシャ付き釘、ステープル等の止着部材で止着しておくのが好ましく、特に、防蟻性板部材４の屋外側の角の形状に合わせて整形され防蟻シート１０に設けられた網目１２に挿入できる針を複数備えた樹脂材がより好ましい。
【００５４】
なお、この防蟻シート１０は、外周立上がり部３の全周に亘って、外周立上がり部３の上端と防蟻性板部材４の上端とにまたがって被覆されると、外周立上がり部３と防蟻性板部材４との間からシロアリが建物内部に侵入することを確実に防止できるものであるが、例えば外周立上がり部３と防蟻性板部材４とがシロアリが侵入できない程度に密接に固定されている場合には、相互に隣り合う防蟻性板部材４同士の継ぎ目を覆う部分にのみ、外周立上がり部３の上端と防蟻性板部材４の上端とにまたがって防蟻シートを被覆するものであってもよい。このように構成すると防蟻シートの使用量を減らすことができる。
【００５５】
このように、外周立上がり部３の上端と防蟻性板部材４の上端とに亘って防蟻シート１０を被覆するので、外周立上がり部３と防蟻性板部材４との間隙をシロアリが通ったとしても、その上端で防蟻シート１０が障害となってシロアリが建物内に侵入することを阻止することができる。そのため、建物内の環境を汚染することなく軸組や床組等をシロアリによる食害から確実に保護できるという利点がある。
【００５６】
ここで、前記耐腐食性材料からなる防蟻シート１０を使用した場合は、シロアリによって食い破られるおそれがないので、シロアリの床下空間６への侵入をより確実に阻止できるという利点がある。また、防蟻シート１０としてメッシュシートを使用した場合でも、網目１２等の孔の直線寸法をいずれの方向においてもシロアリの頭部横断面の最大直線寸法より小さく形成することで、シロアリがメッシュシートを通り抜けることを防止できる。また、メッシュシートは多数の孔を有しているので、接着モルタルによる接着等の際にアンカー効果によってより強固に取付けできるという利点がある。
【００５７】
なお、このように防蟻シート１０として用いられるメッシュシートの網目１２の寸法は、イエシロアリの職蟻で１．１〜１．２５ｍｍ程度、ヤマトシロアリの職蟻で１．０〜１．２ｍｍ程度であるので、ヤマトシロアリが生息する地域では、孔の直線寸法をいずれの方向においても１．０ｍｍ程度以下としておくのが望ましい。また、接着モルタルに含まれる細骨材としては、シロアリが噛み砕くことができない砂等が挙げられるが、塗布した接着モルタルがいずれの部分においてもシロアリによって食い破られないように、孔を通過する大きさのものを使用すると共に、互いの間隔が１．０ｍｍより小さくなるように配合するのが望ましい。
【００５８】
また、外周立上がり部３及びこの外周立上がり部３の屋外側面に固定される防蟻性板部材４には建物内部への給排水を行う配管１４が貫通しており、この配管１４を通して建物内部への給水や建物内部からの排水を行う。この外周立上がり部３の貫通孔及び防蟻性板部材４の貫通孔と配管１４の外周面との間に間隙ができると、そこを通過してシロアリが建物内に侵入する虞が生じる。そこで、この配管１４と外周立上がり部３との間隙から建物内部にシロアリが侵入することを防ぐために、配管用防蟻シート１５を用いる。
【００５９】
この配管用防蟻シート１５は、図５に示すようにハット形であり、上述の防蟻シート１０と同様のステンレスメッシュシート、防蟻剤を練り込んだ合成樹脂シート、防蟻剤を塗布したガラス繊維シート、耐腐食性材料からなる金属製や合成樹脂製等のシート材等の防蟻性を有する各種のシート材を配管１４の外周に外挿される大きさの円筒形に加工して筒部１６を形成し、更に一端側に上述と同様の防蟻材料で形成されて広がる鍔部１７を形成したものである。
【００６０】
この配管用防蟻シート１５を取り付けるときには、図６に示すように、この配管用防蟻シート１５の筒部１６を屋内側に突出している配管１４に外挿して、その鍔部１７を外周立上がり部３の貫通した周辺の屋内側面に当接させる。そして、配管用防蟻シート１５を接着モルタル等の接着剤で配管１４の外周面及び外周立上がり部３の貫通した周辺の屋内側面に接着する。このようにすると、シロアリが防蟻性板部材４及び外周立上がり部３の貫通孔と、配管１４の外周面との間隙を通過して建物内部に侵入しようとしても、この配管用防蟻シート１５に阻止されるので、シロアリが建物内部に侵入することを防ぐことができる。
【００６１】
次に、以上のように構成される第１の実施形態に係る建物の防蟻構造１を施工する第１の基礎防蟻工法について図７から図１２を参照しつつ説明する。
【００６２】
第１の基礎防蟻工法は、図７に示すように、まず地面から一定深さの溝を掘り、地盤改良等を行って整地した上で割栗石９を敷き詰め、さらにその上から捨てコンクリート８を流し入れる。そして、建物の外周を囲うように外周型枠１８を設置するとともに、その内側に図示しない鉄筋を配置する。そして外周型枠１８の屋内側の面に防蟻性板部材４を隙間なく固定する。その後、図８に示すように、外周型枠１８に囲まれた内部にコンクリートを打設して、基礎スラブ６を形成する。
【００６３】
そして次に、図９に示すように、基礎スラブ６上に外周型枠１８と平行に屋内側型枠１９を設置するとともに、必要に応じて柱状又は縦横に延びる立上がり部用型枠２０を設置する。そして、図１０に示すように、外周型枠１８と屋内側型枠１９の間及び立上がり部用型枠２０の内部にコンクリートを打設する。そして、所定時間養生して、基礎スラブ６、外周立上がり部３、及び立上がり部７からなるベタ基礎２を形成する。
【００６４】
そして、外周型枠１８を取り外してから完成したベタ基礎２の外周を埋め戻し、図１１及び図１２に示すように、外周立上がり部３の上端と防蟻性板部材４の上端とに架かるように防蟻シート１０の一端を外周立上がり部３の上端に配置して、
例えば図示しないが釘、止めワッシャ付き釘、ステープル等の止着部材で仮止し、防蟻シート１０の他端を防蟻性板部材４の屋外側面に垂れ下がるように配置する。そして、接着モルタルをその上面から塗布する等して、防蟻シート１０を防蟻性板部材４に固定する。
【００６５】
〔第２の実施形態〕
次に第２の実施形態に係る建物の防蟻構造１及び建物の基礎防蟻工法について、図１３から図１５を参照しつつ説明する。なお、第１の実施形態と同様に構成については、同一の符号を付して説明を省略する。
【００６６】
第２の実施形態に係る建物の防蟻構造１は、第１の実施形態と同様に、例えばベタ基礎２における外周立上がり部３の屋外側面に防蟻性板部材４を取付けた建物において用いられるものであり、外周立上がり部３の上端面と防蟻性板部材４の上端面とにまたがってシロアリが通過できない防蟻シート１０が取付けられている。この防蟻シート１０は図１３及び図１４に示すように、屋内側の端部が外周立上がり部３の上端面から下方に折曲して外周立上がり部３の内部に埋め込まれ、その下端で水平方向に突出する垂下部２１ａを形成しており、防蟻シート１０の屋外側の端部は防蟻性板部材４の外側面に当接して垂れ下がって形成されている。この防蟻シート１０の垂下部２１ａは下方に垂れ下がるとともに、その下端で水平方向に突出し、更に上方に向けて折り返されるとともに、下方に折り返された後、その先端が水平方向に折曲されており、この防蟻シート１０の垂下部２１ａは外周立上がり部３の内部に埋め込まれている。
【００６７】
このように防蟻シート１０の屋内側の端部に複雑な形状の垂下部２１ａが形成され、外周立上がり部３の内部に埋め込まれることで、防蟻シート１０の端部は強固に外周立上がり部３に固定されることになり、よりいっそう確実にシロアリが建物の内部に侵入することを防ぐことができる。また、この垂下部２１ａは、図１５（Ａ）に示すように、コンクリートを打設して垂下部２１ａを外周立ち上がり部３に埋め込む際にコンクリートの重みによって折曲箇所が下方に向かって展開したような場合でも、図１５（Ｂ）に示すように、その先端が上方に向けて突出する形状であり、そのアンカー効果により強固に外周立ち上がり部３に固定される。
【００６８】
以上のように構成される第２の実施形態に係る建物の防蟻構造１を施工する第２の基礎防蟻工法について図１６及び図１７を参照しつつ説明する。この第２の基礎防蟻工法においては、第１の基礎防蟻工法と同様に、まず地面から一定深さの溝を掘り、地盤改良等を行って整地した上で割栗石９を敷き詰め、さらにその上から捨てコンクリート８を流し入れる。そして、建物の外周を囲うように外周型枠１８を設置するとともに、その内側に図示しない鉄筋を配置する。そして外周型枠１８の屋内側の面に防蟻性板部材４を隙間なく固定する。その後、外周型枠１８に囲まれた内部にコンクリートを打設して、基礎スラブ６を形成する。
【００６９】
そして次に、図１６に示すように、防蟻性板部材４の上端に防蟻シート１０を固定する。このとき、防蟻シート１０の屋外側の端部は、折曲して防蟻性板部材４の屋外側面に当接し、防蟻シート１０の屋内側の端部は防蟻性板部材４の上端から屋内側にやや間隔を開けて下方に折曲して、その下端で水平方向に突出し、更に上方に向けて折り返されるとともに、その先端が水平方向に折曲されて垂下部２１ａを形成している。そして次に、図１７に示すように、基礎スラブ６上に外周型枠１８と平行に屋内側型枠１９を設置する。なお、図示しないがこのとき、第１の基礎防蟻工法と同様に、必要に応じて柱状又は縦横に延びる立上がり部用型枠２０を設置する。そして、外周型枠１８と屋内側型枠１９の間及び立上がり部用型枠２０の内部にコンクリートを打設する。このようにして、防蟻シート１０の垂下部２１ａを外周立上がり部３内に埋め込み、所定時間養生して、基礎スラブ６、外周立上がり部３、及び立上がり部７からなるベタ基礎２を形成するとともに、防蟻シート１０の垂下部２１ａを外周立上がり部３に固定することで、防蟻性板部材４を外周立上がり部３に固定する。
【００７０】
このように垂下部２１ａは単に下方に垂れ下がって外周立上がり部３に埋め込まれるのではなく、下端から水平方向に突出する部分を設けているので、そのアンカー効果により外周立上がり部３を打設養生した後に上向きの荷重が加わっても防蟻シート１０が外周立上がり部３から抜けることが無い。また、垂下部２１ａの下端は単に水平方向に突出するだけでなく、更に上方に向けて折り返されるとともに、その先端が水平方向に折曲されているので、打設するコンクリートの重みにより垂下部２１ａの下端が下方にやや展開されたとしても、防蟻シート１０はアンカー効果を失うことなく強固に外周立上がり部３に固定される。
【００７１】
〔第３の実施形態〕
次に第３の実施形態に係る建物の防蟻構造１及び基礎防蟻工法について、図１８を参照しつつ説明する。なお第１の実施形態と同様の構成については同一の符号を付して説明を省略する。この実施形態の建物の防蟻構造１は、基礎の外周立上がり部３と、外周立上がり部３の屋外側に隣接して設けられる付帯設備２２との間に防蟻性板部材４を収納する建物において用いられるものである。そして、少なくとも付帯設備２２の上面と防蟻性板部材４とに架かるように防蟻シート１０が固定されており、付帯設備２２と防蟻性板部材４との間隙を通過するシロアリが建物内部に侵入することを防ぐことができる。具体的には、防蟻シート１０は、付帯設備２２の上面と防蟻性板部材４の屋外側の面とに当接するように配置され、例えば接着モルタルなどで固定されている。この実施形態における防蟻シート１０の中間部には、付帯設備２２の上面及び防蟻性板部材４のいずれにも固定されずに折り曲がって形成されるあそび部分２３を有しており、例えば地震や地盤沈下などによる多少の地盤変動があったような場合でも、その変動をこのあそび部分２３が吸収することで、防蟻シート１０の防蟻性能を維持することができる。
【００７２】
ここで、付帯設備２２とは、例えば玄関ポーチの床などのように建物から分離して設けられる構造物であり、コンクリート、石材、レンガ、タイル等により構成されている。この付帯設備２２としては、シロアリが侵食することができない強度を有するものか、またはシロアリに侵食されないように防蟻剤を含浸させたものであることが好ましい。
【００７３】
なお、本実施形態においては、付帯設備２２はその上端が外周立上がり部８及び防蟻性板部材４の上端よりもやや下方に位置するように形成されているが、これに限定されるものではなく、例えば図１９に示すように、付帯設備２２の上端と外周立上がり部８及び防蟻性板部材４の上端とが同一平面状に形成されるものであってもよく、また、付帯設備２２の上端側がやや上方に位置するように形成されていてもよい。更にまた、少なくとも防蟻シート１０は付帯設備２２の上端から防蟻性板部材４にまたがって被覆することで、付帯設備２２と防蟻性板部材４との間隙を通過してシロアリが建物内部に侵入することを防止できるが、防蟻シート１０が更に外周立上がり部８の上端にまで設けられたものであってもよい。
【００７４】
このような第３の実施形態に係る建物の防蟻構造１を施工する第３の基礎防蟻工法は、第１の基礎防蟻工法と同様に、まず地面から一定深さの溝を掘り、地盤改良等を行って整地した上で割栗石９を敷き詰め、さらにその上から捨てコンクリート８を流し入れる。そして、建物の外周を囲うように外周型枠１８を設置するとともに、その内側に図示しない鉄筋を配置する。そして外周型枠１８の屋内側の面に防蟻性板部材４を隙間なく固定する。その後、外周型枠１８に囲まれた内部にコンクリートを打設して、基礎スラブ６を形成する。
【００７５】
その後、基礎スラブ６上に外周型枠１８と平行に屋内側型枠１９を設置するとともに、必要に応じて柱状又は縦横に延びる立上がり部用型枠２０を設置する。そして、外周型枠１８と屋内側型枠１９の間及び立上がり部用型枠２０の内部にコンクリートを打設する。そして、所定時間養生して各型枠１８、１９、２０を取り外して、基礎スラブ６、外周立上がり部３、及び立上がり部７からなるベタ基礎２を形成する。
【００７６】
そして、次に、外周立上がり部８の外側の所望の位置に付帯設備用型枠２４を設置し、この付帯設備用型枠２４にコンクリートを打設養生して付帯設備２２を形成し、この付帯設備２２の上面と防蟻性板部材４とに、防蟻シート１０を被覆して、接着モルタルをその上面から塗布する等して、防蟻シート１０を防蟻性板部材４に固定する。
【００７７】
〔第４の実施形態〕
次に第４の実施形態に係る建物の防蟻構造１及び建物の基礎防蟻工法について、図２０から図２３を参照しつつ説明する。なお第１の実施形態と同様の構成については同一の符号を付して説明を省略する。第４の実施形態に係る建物の防蟻構造１は、第３の実施形態に係る建物の防蟻構造１と同様に、基礎の外周立上がり部８と、外周立上がり部８の屋外側に隣接して設けられる付帯設備２２との間に防蟻性板部材４を収納する建物において用いられるものである。そして、付帯設備２２の上面から防蟻性板部材４の上端を通過して外周立上がり部８の上端にまで防蟻シート１０が固定されている。この実施形態においては付帯設備２２はコンクリートを打設することによって形成されている。防蟻シート１０の両端は、垂れ下がる垂下部２１ａ、２１ｂを形成している。屋外側の垂下部２１ｂは付帯設備２２に埋設されており、屋内側の垂下部２１ａは外周立上がり部８に埋設されている。
【００７８】
このようにして付帯設備２２及び外周立上がり部に埋設される垂下部２１ａ、２１ｂは、下方に垂れ下がるとともに水平方向に突出し、更に上方に向けて折り返されるとともにその先端が水平方向に折曲されている。このように形成されることで、防蟻シート１０の両端は付帯設備２２及び外周立上がり部８に強固に固定されるので、付帯設備２２と防蟻性板部材４との間隙及び防蟻性板部材４と外周立上がり部８との間隙を通過したシロアリが建物内部に侵入することを防止できる。
【００７９】
このように構成される建物の防蟻構造１を施工する第４の基礎防蟻工法は、第１の基礎防蟻工法と同様に、まず地表から一定深度で掘り返し、地盤改良等を行って整地した上で割栗石９を敷き詰め、さらにその上から捨てコンクリート８を流し入れる。そして、建物の外周を囲うように外周型枠１８を設置するとともに、その内側に図示しない鉄筋を配置する。そして外周型枠１８の屋内側の面に防蟻性板部材４を隙間なく固定する。その後、外周型枠１８に囲まれた内部にコンクリートを打設して、基礎スラブ６を形成する。
【００８０】
その後、基礎スラブ６上に外周型枠１８と平行に屋内側型枠１９を設置するとともに、必要に応じて柱状又は縦横に延びる立上がり部用型枠２０を設置する。そして、図２１に示すように防蟻性板部材４の上端に防蟻シート１０の中間部を固定させつつ、防蟻シート１０の一端側に形成された垂下部２１ａを、外周型枠１８の内側に垂れ下げる。そして、外周型枠１８と屋内側型枠１９の間にコンクリートを打設することにより、外周立上がり部３を形成するとともに、防蟻シート１０の一端側の垂下部２１ａを外周立上がり部８に埋設する。そして、所定時間養生して各型枠１８、１９、２０を取り外して、基礎スラブ６、外周立上がり部３、及び立上がり部７からなるベタ基礎２を形成する。
【００８１】
そして、次に、図２２に示すように、外周立上がり部８の外側の所望の位置に付帯設備用型枠２４を設置し、この付帯設備用型枠２４の内側に防蟻シート１０の他端側に形成された垂下部２１ｂが垂れ下がるように形成する。そして、図２３に示すように、付帯設備用型枠２４にコンクリートを打設養生して付帯設備２２を形成するとともに、垂下部２１ｂを付帯設備２２の内部に埋設する。その後、付帯設備用型枠２４を取り外して、付帯設備２２の一部を埋め戻し基礎工事を完了する。
【００８２】
以上のように防蟻シート１０の一端は外周立上がり部８に埋設され、防蟻シート１０の他端は付帯設備２２に埋設されるので、防蟻シート１０が確実に固定されシロアリの通過を確実に阻止できる。埋設される垂下部２１ａ、２１ｂは前述のように、下方に垂れ下がるとともに水平方向に突出し、更に上方に向けて折り返されるとともにその先端が水平方向に折曲されているので、より強いアンカー効果を発揮し、より強固に固定される。
【００８３】
なお、本発明の実施の形態は、本実施形態に限ることなく、本発明の思想の範囲を逸脱しない範囲で適宜変更することができることは云うまでもない。
【産業上の利用可能性】
【００８４】
以上のように、本発明に係る建物の防蟻構造１及び基礎防蟻工法は、例えば外断熱工法を用いる住宅等に好適に用いることができる。
【図面の簡単な説明】
【００８５】
【図１】第１の実施形態に係る建物の防蟻構造の全体構成を示す図。
【図２】第１の実施形態に係る建物の防蟻構造を示す一部省略断面図。
【図３】第１の実施形態に係る建物の防蟻構造であって、建物の基礎が布基礎である例を示す図。
【図４】防蟻シートの一例としてのステンレスメッシュを説明する図。
【図５】配管用防蟻シートの構成を説明する図。
【図６】外周立上がり部を貫通する配管に配管用防蟻シートを取付けた例を示す図。
【図７】第１の基礎防蟻工法を説明する図であって、外周型枠を設置した状態を説明する図。
【図８】第１の基礎防蟻工法を説明する図であって、基礎スラブを形成した状態を示す図。
【図９】第１の基礎防蟻工法を説明する図であって、屋内側型枠及び立上がり部用型枠を設置した状態を説明する図。
【図１０】第１の基礎防蟻工法を説明する図であって、外周立上がり部及び立上がり部を形成した状態を説明する図。
【図１１】第１の基礎防蟻工法を説明する図であって、防蟻シートを取付ける状態を説明する図。
【図１２】第１の基礎防蟻工法において、建物の防蟻構造が完成した状態を説明する図。
【図１３】第２の実施形態に係る建物の防蟻構造の構成を示す図。
【図１４】図１３のＡ部分を拡大した一部省略拡大図。
【図１５】図１３のＡ部分にコンクリートを打設する状態を説明する図。
【図１６】第２の基礎防蟻工法を説明する図であって、基礎スラブ上に屋内側型枠を設置した状態を説明する図。
【図１７】第２の基礎防蟻工法を説明する図であって、外周立上がり部を打設して垂下部を埋設した状態を説明する図。
【図１８】第３の実施形態に係る建物の防蟻構造を示す図。
【図１９】第３の実施形態に係る建物の防蟻構造の変形例を示す図。
【図２０】第４の実施形態に係る建物の防蟻構造を示す図。
【図２１】第４の基礎防蟻工法を説明する図であって、外周立上がり部を打設して、防蟻シートの一端に形成された垂下部を埋設する状態を説明する図。
【図２２】第４の基礎防蟻工法を説明する図であって、外周型枠及び屋内側型枠を取り外して、付帯設備用型枠を設置した状態を説明する図。
【図２３】第４の基礎防蟻工法を説明する図であって、付帯設備を打設して防蟻シートの他端に形成された垂下部を埋設する状態を説明する図。
【符号の説明】
【００８６】
１      防蟻構造
３      外周立上がり部
４      防蟻性板部材
１０    防蟻シート
１５    配管用防蟻シート
１６    筒部
１７    鍔部
１８    外周型枠（屋外側の外周立上がり部用の型枠）
１９    屋内側型枠（屋内側の外周立上がり部用の型枠)
２１ａ、２１ｂ  垂下部
２２    付帯設備
２４    付帯設備用型枠
【図１】
2010084357.tif 000003
【図２】
2010084357.tif 000004
【図３】
2010084357.tif 000005
【図４】
2010084357.tif 000006
【図５】
2010084357.tif 000007
【図６】
2010084357.tif 000008
【図７】
2010084357.tif 000009
【図８】
2010084357.tif 000010
【図９】
2010084357.tif 000011
【図１０】
2010084357.tif 000012
【図１１】
2010084357.tif 000013
【図１２】
2010084357.tif 000014
【図１３】
2010084357.tif 000015
【図１４】
2010084357.tif 000016
【図１５】
2010084357.tif 000017
【図１６】
2010084357.tif 000018
【図１７】
2010084357.tif 000019
【図１８】
2010084357.tif 000020
【図１９】
2010084357.tif 000021
【図２０】
2010084357.tif 000022
【図２１】
2010084357.tif 000023
【図２２】
2010084357.tif 000024
【図２３】
2010084357.tif 000025